(57)【要約】      （修正有）【課題】防水効果が良好な防水スタイラスペンを提供する。【解決手段】防水スタイラスペンは、中空ボディー２０と、中空ボディー２０の内部に配置された回路基板３２と、回路基板３２に配置された少なくとも一つのスイッチ３４と、中空ボディー２０の開口部２３２に配置された押しボタン３６と、中空ボディー２０と押しボタン３６との間に配置された防水ユニット４０とを備える。押しボタン３６は回路基板３２のスイッチ３４に当接するため、押されると回路基板３２はスイッチ３４が導通し、対応するタッチパネルに電子信号を発する。防水ユニット４０は中空ボディー２０の開口部２３２を密封することで外部の水蒸気が中空ボディー２０の内部に入り込み、制御ユニット３０を故障させてしまうことを防止し、防水効果を果たす。【選択図】図２Ａ
0003189572.tif 000002
【実用新案登録請求の範囲】
【請求項１】
中空ボディー、制御ユニットおよび防水ユニットを備え、
前記中空ボディーは、開口部を有し、
前記制御ユニットは、回路基板および押しボタンを有し、前記回路基板は前記中空ボディーの中に配置され、スイッチを有し、前記押しボタンは前記中空ボディーの前記開口部に位置し、かつ前記回路基板の前記スイッチに当接するように前記中空ボディーに配置され、  
前記防水ユニットは、前記中空ボディーと前記制御ユニットの前記押しボタンとの間に配置され、かつ前記中空ボディーの前記開口部を密封することを特徴とする防水スタイラスペン。  
【請求項２】
前記中空ボディーは、さらに前記開口部の周りに形成された階段状部位を有し、前記防水ユニットは片状を呈し、前記階段状部位に固定されることを特徴とする請求項１に記載の防水スタイラスペン。  
【請求項３】
前記中空ボディーは、前記開口部の周りに形成された嵌合部を有し、前記防水ユニットは嵌合スリットを有し、前記防水ユニットの前記嵌合スリットは前記中空ボディーの嵌合部に嵌合されることを特徴とする請求項１に記載の防水スタイラスペン。  
【請求項４】
前記中空ボディーは、外側表面に前記開口部と繋がる環状スリットを有し、前記防水ユニットはリング状を呈し、前記中空ボディーの前記環状スリット内に嵌め込まれることを特徴とする請求項１に記載の防水スタイラスペン。  
【請求項５】
前記中空ボディーは、前記開口部の周りに形成された階段状部位を有し、前記防水ユニットは前記押しボタンの外側周縁と一体になるように前記階段状部位に固定されることを特徴とする請求項１に記載の防水スタイラスペン。  
【請求項６】
前記中空ボディーは、前記開口部の周りに形成され嵌合スリットを有し、前記防水ユニットの外側周縁は前記嵌合スリットに嵌め込まれることを特徴とする請求項１に記載の防水スタイラスペン。
【請求項７】
前記中空ボディーは、前記開口部の周りに形成され凸状部を有し、前記防水ユニットは前記押しボタンの外側周縁と一体になるように結合し、凹状部を有し、前記防水ユニットの前記凹状部は前記中空ボディーの前記凸状部に嵌合されることを特徴とする請求項１に記載の防水スタイラスペン。
【請求項８】
前記中空ボディーは、前記開口部の周りに形成された凹状部を有し、前記防水ユニットは前記押しボタンの外側周縁と一体になるように結合し、凸状部を有し、前記防水ユニットの前記凸状部は前記中空ボディーの前記凹状部に嵌合されることを特徴とする請求項１に記載の防水スタイラスペン。
【請求項９】
前記中空ボディーは、前記開口部の周りに間隔を置いて形成された二つの凸状部を有し、前記防水ユニットは前記押しボタンの外側周縁と一体になるように結合し、凸状部を有し、前記防水ユニットの前記凸状部は前記中空ボディーの二つの前記凸状部の間に嵌合されることを特徴とする請求項１に記載の防水スタイラスペン。
【請求項１０】
前記中空ボディーは、内部に片状当接部を有し、前記片状当接部は前記防水ユニットに当接することを特徴とする請求項７または請求項８または請求項９に記載の防水スタイラスペン。
【請求項１１】
前記中空ボディーは、ヘッド部を有し、前記制御ユニットは先端部を有し、前記先端部は前記中空ボディーの前記ヘッド部に装着され、前記中空ボディーの前記ヘッド部と前記先端部との間には防水リングが配置されることを特徴とする請求項１に記載の防水スタイラスペン。
【請求項１２】
前記中空ボディーは、軸と、末端部と、前記軸と前記末端部との間に配置された防水リングを有することを特徴とする請求項１に記載の防水スタイラスペン。
【請求項１３】
前記中空ボディーは、ヘッド部と、前記ヘッド部に配置された防水リングとを有し、前記防水リングは一部分が前記ヘッド部と結合することを特徴とする請求項１に記載の防水スタイラスペン。
【考案の詳細な説明】
【技術分野】
【０００１】
本考案は、タッチパネル用のスタイラスペンに関し、詳しくは防水スタイラスペンに関すものである。
【背景技術】
【０００２】
タッチパネルは、パーソナルデジタルアシスタント、スマートフォンおよびタブレットＰＣなど様々な電子機器に広汎に応用されるようになる。指でタッチパネルを押したり、スライドしたりすれば、電子機器に作動指示を入力することができる。指とタッチパネルとの接触面積が比較的大きいため、タッチパネルがユーザーからの指示を正確にキャッチできなければ、電子機器が思った通りにならず、作業ミスを引き起こすという事態を招く。手で接触して操作する方式のほかに、スタイラスペンでタッチパネルに接触し、タッチパネルを操作する方式を採用すれば、正確度を高めることができる。
【０００３】
現有のスタイラスペンの多くは操作上の機能が重視される。例えば、スタイラスペンは軸に押しボタンを有する。押しボタンを押せばスタイラスペンによってタッチパネルに電子信号を発信し、タッチパネルを操作することができる。しかしながら、現有のスタイラスペンの押しボタンは防水機能が何もついていなかったため保護されない。外部の水蒸気は押しボタンの周りの隙間から軸の内部に入り込み、軸の内部の電子部品を故障させてしまうことが発生する。従って、スタイラスペンの構造には改善の余地がある。
【考案の概要】
【考案が解決しようとする課題】
【０００４】
本考案は、防水効果が良好なスタイラスペンを提供することを主な目的とする。
【課題を解決するための手段】
【０００５】
上述の目的を達成するために、本考案による防水スタイラスペンは、中空ボディー、制御ユニットおよび防水ユニットを備える。中空ボディーは開口部を有する。制御ユニットは回路基板および押しボタンを有する。回路基板は中空ボディーの中に配置され、スイッチを有する。押しボタンは中空ボディーの開口部に位置し、かつ回路基板のスイッチに当接するように中空ボディーに配置されるため、押されるとスイッチが導通し、回路基板が電子信号を発する。防水ユニットは中空ボディーと制御ユニットの押しボタンとの間に配置され、かつ中空ボディーの開口部を密封することで防水効果を果たす。
【０００６】
本考案の一実施形態において、中空ボディーはさらに開口部の周りに形成された階段状部位を有する。防水ユニットは片状を呈し、階段状部位に固定される。
【０００７】
本考案の一実施形態において、防水ユニットは片状を呈し、かつ嵌合スリットを有する。防水ユニットの嵌合スリットは中空ボディーの開口部の周りに嵌合される。
【０００８】
本考案の一実施形態において、中空ボディーは外側表面に開口部と繋がる環状スリットを有する。防水ユニットはリング状を呈し、中空ボディーに被さり、環状スリット内に固定される。
【０００９】
本考案の一実施形態において、中空ボディーは開口部の周りに形成された階段状部位を有する。防水ユニットは押しボタンの外側周縁と一体になるように階段状部位に固定される。
【００１０】
本考案の一実施形態において、中空ボディーは開口部の周りに形成された嵌合部を有する。防水ユニットは片状を呈し、嵌合スリットを有する。防水ユニットの嵌合スリットは中空ボディーの嵌合部に嵌合される。
【００１１】
本考案の一実施形態において、中空ボディーは開口部の周りに形成され凸状部を有する。防水ユニットは押しボタンの外側周縁と一体になるように結合し、凹状部を有する。防水ユニットの凹状部は中空ボディーの凸状部に嵌合される。
【００１２】
本考案の一実施形態において、中空ボディーは開口部の周りに間隔を置いて形成された二つの凸状部を有する。防水ユニットは押しボタンの外側周縁と一体になるように結合し、凸状部を有する。防水ユニットの凸状部は中空ボディーの二つの凸状部の間に嵌合される。
【００１３】
本考案の一実施形態において、中空ボディーは開口部の周りに形成された凹状部を有する。防水ユニットは押しボタンの外側周縁と一体になるように結合し、凸状部を有する。防水ユニットの凸状部は中空ボディーの凹状部に嵌合される。中空ボディーは内部に防水ユニットに当接する片状当接部を有するため、防水ユニットと中空ボディーとの結合状態を良好に維持することができる。
【図面の簡単な説明】
【００１４】
【図１】本考案の第１実施形態による防水スタイラスペンを示す斜視図である。
【図２Ａ】本考案の第１実施形態による防水スタイラスペンの一部分を示す断面図である。
【図２Ｂ】本考案の第２実施形態による防水スタイラスペンの一部分を示す断面図である。
【図３Ａ】本考案の第３実施形態による防水スタイラスペンの一部分を示す断面図である。
【図３Ｂ】本考案の第３実施形態による防水スタイラスペンの一部分を示す断面図である。
【図３Ｃ】本考案の第３実施形態による防水スタイラスペンの一部分を示す断面図である。
【図３Ｄ】本考案の第３実施形態による防水スタイラスペンの一部分を示す断面図である。
【図４】本考案の第４実施形態による防水スタイラスペンを示す斜視図である。
【図５】本考案の第４実施形態による防水スタイラスペンの一部分を示す断面図である。
【図６Ａ】本考案の第５実施形態による防水スタイラスペンの一部分を示す断面図である。
【図６Ｂ】本考案の第５実施形態による防水スタイラスペンの一部分を示す断面図である。
【図７Ａ】本考案の第６実施形態による防水スタイラスペンの一部分を示す断面図である。
【図７Ｂ】本考案の第６実施形態による防水スタイラスペンの一部分を示す断面図である。
【図７Ｃ】本考案の第６実施形態による防水スタイラスペンの一部分を示す断面図である。
【図７Ｄ】本考案の第６実施形態による防水スタイラスペンの一部分を示す断面図である。
【図８】本考案の第７実施形態による防水スタイラスペンの一部分を示す断面図である。
【図９】本考案の第８実施形態による防水スタイラスペンの一部分を示す断面図である。
【図１０】本考案の第９実施形態による防水スタイラスペンの一部分を示す断面図である。
【図１１】本考案の第１０実施形態による防水スタイラスペンの一部分を示す断面図である。
【考案を実施するための形態】
【００１５】
図１および図２Ａに示すように、本考案による防水スタイラスペン１０は、中空ボディー２０、制御ユニット３０および防水ユニット４０を備える。
【００１６】
中空ボディー２０は、ヘッド部２１と、末端部２２と、ヘッド部２１と末端部２２の間に位置する軸２３と、軸２３上のヘッド部２１に近い部位に形成された開口部２３２とを有する。
【００１７】
制御ユニット３０は、回路基板３２および押しボタン３６を有する。回路基板３２は中空ボディー２０の軸２３の中に固定され、かつ相互に間隔を置いて配置された二つのスイッチ３４を有する。押しボタン３６は中空ボディー２０の開口部２３２に位置し、かつ回路基板３２の二つのスイッチ３４に当接するように中空ボディー２０の軸２３に配置されるため、押されると二つのスイッチ３４が導通し、回路基板３２が電子信号を発する。また制御ユニット３０はさらに先端部３８を有する。先端部３８は回路基板３２に電気的に接続され、かつ中空ボディー２０のヘッド部２１に突出することで電子機器のタッチパネル（図中未表示）に接触して電子信号を伝送する。
【００１８】
防水ユニット４０は、ゴム、シリコン、プラスチックまたは別の防水材から製作され、中空ボディー２０の軸２３と制御ユニット３０の押しボタン３６との間に配置され、かつ開口部２３２を密封する。本考案において、防水ユニット４０、中空ボディー２０および押しボタン３６の結合方法は以下の実施形態によって明確になる。
【００１９】
図２Ａに示すように、中空ボディー２０は開口部２３２の周りに形成された階段状部位２４を有する。防水ユニット４０は片状を呈し、熱溶接加工または接着剤によって階段状部位２４に固定され、押しボタン３６の外側表面に当接する。
【００２０】
図２Ｂに示すように、中空ボディー２０は開口部２３２の周りに形成された嵌合部２５を有する。防水ユニット４０は片状を呈し、嵌合スリット４２を有する。防水ユニット４０の嵌合スリット４２に中空ボディー２０の嵌合部２５を嵌め込むと同時に、熱溶接加工または接着剤によって結合強度を強化し、両者を固定すれば、防水ユニット４０は押しボタン３６の外側表面に当接する。
【００２１】
図３Ａに示すように、中空ボディー２０は開口部２３２の周りに形成され嵌合スリット２６を有する。片状防水ユニット４０の外側周縁を嵌合スリット２６に嵌め込むと同時に、熱溶接加工または接着剤によって結合強度を強化し、両者を固定すれば、防水ユニット４０は押しボタン３６の外側表面に当接する。一方、図３Ｂから図３Ｄに示すように、防水ユニット４０は押しボタン３６の外側表面に当接するとは限らず、リング状を呈するように押しボタン３６に被さり、中空ボディー２０の嵌合スリット２６に嵌め込まれるように設計されてもよい。
【００２２】
図４および図５に示すように、リング状防水ユニット４０は押しボタン３６に被さるとは限らず、中空ボディー２０の軸２３の環状スリット２７に嵌め込まれてもよい。環状スリット２７と開口部２３２とは相互に繋がり、熱溶接加工または接着剤によって両者の結合強度を強化することができる。
【００２３】
上述した防水ユニット４０と押しボタン３６は別々の二つの構造であるが、これに限らず、状況に応じて一体成型された構造でもよい。
【００２４】
図６Ａおよび図６Ｂに示すように、防水ユニット４０は押しボタン３６の外側周縁と一体になるように結合し、熱溶接加工または接着剤によって中空ボディー２０階段状部位２４に固定される。階段状部位２４は中空ボディー２０の外側表面または内側表面に配置される。
【００２５】
熱溶接加工または接着剤による固定方式のほかに、防水ユニット４０と中空ボディー２０とを嵌め合わせて固定する方式を採用することができる。図７Ａに示すように、中空ボディー２０は開口部２３２の周りに形成され凸状部２８を有する。防水ユニット４０は押しボタン３６の外側周縁と一体になるように結合し、凹状部４４を有する。防水ユニット４０の凹状部４４は中空ボディー２０の凸状部２８に嵌合される。図７Ｂに示すように、中空ボディー２０は開口部２３２の周りに形成された凹状部２９を有する。防水ユニット４０は押しボタン３６の外側周縁と一体になるように結合し、凸状部４６を有する。防水ユニット４０の凸状部４６は中空ボディー２０の凹状部２９に嵌合される。図７Ｃに示すように、中空ボディー２０は開口部２３２の周りに間隔を置いて形成された二つの凸状部２８を有する。防水ユニット４０は押しボタン３６の外側周縁と一体になるように結合し、凸状部４６を有する。防水ユニット４０の凸状部４６は中空ボディー２０の二つの凸状部２８の間に嵌合される。一方、防水ユニット４０と中空ボディー２０とを嵌め合わせて固定する方式のほかに、図７Ａから図７Ｃに示すように中空ボディー２０の軸２３の内側表面に片状当接部５０を増設し、片状当接部５０を防水ユニット４０に当接させることによって防水ユニット４０と中空ボディー２０との結合状態を良好に維持することができる。
【００２６】
図８に示すように、制御ユニット３０は回路基板３２の二つのスイッチ３４に対応するように配置された二つの押しボタン３６を有する。防水ユニット４０はそれぞれの押しボタン３６の外側周縁と一体になるように結合し、熱溶接加工または接着剤によって中空ボディー２０の階段状部位２４に固定されることで中空ボディー２０の開口部２３２を密封する。
【００２７】
一方、防水ユニット４０を使用するほかに、防水スタイラスペン１０に防水リング６０を第二の防水層として増設し、防水効果を高めることができる。防水リング６０は状況に応じて異なる部位、例えば中空ボディー２０のヘッド部２１（図９参照）、または中空ボディー２０の軸２３と末端部２２との間（図１０参照）、または中空ボディー２０のヘッド部２１と制御ユニット３０の先端部３８との間（図１１）参照）に固定されるため、防水スタイラスペン１０の防水効果をより向上させることができる。
【００２８】
本考案による防水スタイラスペン１０は、防水ユニット４０の異なる構造によって外部の水蒸気が中空ボディー２０に入り込むことを効果的に抑制し、制御ユニット３０または別の電子部品を故障させることを防止するため、使用寿命を伸ばすことができる。
【符号の説明】
【００２９】
１０：防水スタイラスペン、  ２０：中空ボディー、  ２１：ヘッド部、  ２２：末端部、  ２３：軸、  ２３２：開口部、  ２４：階段状部位、  ２５：嵌合部、  ２６：嵌合スリット、  ２７：環状スリット、  ２８：凸状部、  ２９：凹状部、  ３０：制御ユニット、  ３２：回路基板、  ３４：スイッチ、  ３６：押しボタン、  ３８：先端部、  ４０：防水ユニット、  ４２：嵌合スリット、  ４４：凹状部、  ４６：凸状部、  ５０：片状当接部、  ６０：防水リング
【図１】
0003189572.tif 000003
【図２Ａ】
0003189572.tif 000004
【図２Ｂ】
0003189572.tif 000005
【図３Ａ】
0003189572.tif 000006
【図３Ｂ】
0003189572.tif 000007
【図３Ｃ】
0003189572.tif 000008
【図３Ｄ】
0003189572.tif 000009
【図４】
0003189572.tif 000010
【図５】
0003189572.tif 000011
【図６Ａ】
0003189572.tif 000012
【図６Ｂ】
0003189572.tif 000013
【図７Ａ】
0003189572.tif 000014
【図７Ｂ】
0003189572.tif 000015
【図７Ｃ】
0003189572.tif 000016
【図７Ｄ】
0003189572.tif 000017
【図８】
0003189572.tif 000018
【図９】
0003189572.tif 000019
【図１０】
0003189572.tif 000020
【図１１】
0003189572.tif 000021